(57)【要約】      （修正有）【課題】機能変更が可能であり、かつ、各機能の設定変更を容易に行うことができる負荷制御スイッチを提供する。【解決手段】負荷制御スイッチ１は、スイッチ部１０と、スイッチ部１０の機能を拡張させるためのものであって、スイッチ部１０に着脱可能に装着される装着部２０と、を備える。装着部２０は、第１の信号線４１及び第１の信号線４１とは異なる第２の信号線４２と接続される制御部２２を備える。スイッチ部１０は、第１の信号線４１に接続されず、第２の信号線４２に接続され、装着部２０の機能設定を行う設定スイッチ３０を備える。制御部２２とスイッチ部１０とは、装着部２０がスイッチ部１０に装着されるときに第１の信号線４１によって導通し、制御部２２は、設定スイッチ３０での設定の結果を第２の信号線４２を介して取得する。【選択図】図１
2020112955.tif 000002
【特許請求の範囲】
【請求項１】
負荷へ電力を供給するための外部電源に接続されたスイッチ部と、
前記スイッチ部の機能を拡張させるためのものであって、前記スイッチ部に着脱可能に装着される装着部と、
前記装着部に設けられ、第１の信号線及び前記第１の信号線とは異なる第２の信号線と接続される制御部と、
前記第１の信号線に接続されず、前記第２の信号線に接続され、前記装着部の機能設定を行う設定スイッチと、を備え、
前記制御部と前記スイッチ部とは、前記装着部が前記スイッチ部に装着されるときに前記第１の信号線によって導通し、
前記制御部は、前記設定スイッチでの前記設定の結果を前記第２の信号線を介して取得する、
負荷制御スイッチ。
【請求項２】
前記設定スイッチは、前記スイッチ部に設けられ、
前記制御部と前記設定スイッチとは、前記装着部が前記スイッチ部に装着されるときに前記第２の信号線によって導通する、
請求項１に記載の負荷制御スイッチ。
【請求項３】
前記制御部は、前記設定の結果を二値信号によって第２の信号線を介して取得する、
請求項１又は２に記載の負荷制御スイッチ。
【請求項４】
前記制御部は、所定の信号を取得した場合、前記制御部の機能を変更するためのモードに切り替わり、前記所定の信号を取得しない場合、前記制御部の機能を変更するためのモードに切り替わらない、
請求項１〜３のいずれか１項に記載の負荷制御スイッチ。
【請求項５】
前記所定の信号は、二値信号のうちの一方を示す信号であり、
前記制御部は、
前記装着部が前記スイッチ部に装着されていない場合に、前記所定の信号を取得し、
前記装着部が前記スイッチ部に装着されている場合、前記第２の信号線を介して前記二値信号のうちの他方を示す信号を取得する、
請求項４に記載の負荷制御スイッチ。
【請求項６】
前記装着部は、センサを備え、
前記設定は、前記センサの感度に関する設定を含む、
請求項１〜５のいずれか１項に記載の負荷制御スイッチ。
【請求項７】
前記設定は、前記センサの動作のオン及びオフに関する設定を含む、
請求項１〜６のいずれか１項に記載の負荷制御スイッチ。
【発明の詳細な説明】
【技術分野】
【０００１】
本発明は、スイッチ部とスイッチ部に着脱可能に装着される装着部とを備える負荷制御スイッチに関する。
【背景技術】
【０００２】
従来、負荷へ電力を供給するための外部電源に接続されたスイッチ部と、負荷を制御するためのセンサを有しスイッチ部に着脱可能に装着される装着部とを備える負荷制御スイッチが開示されている（例えば特許文献１）。このような負荷制御スイッチは、互いに機能の異なる装着部が取り換えられることで、人感センサ機能又は明るさセンサ機能といった機能の変更が可能となる。
【先行技術文献】
【特許文献】
【０００３】
【特許文献１】特許第５６０３２１５号公報
【発明の概要】
【発明が解決しようとする課題】
【０００４】
しかしながら、上記特許文献１に開示された技術では、各機能の設定変更については考慮されていない。例えば、各機能を実現するためのセンサの感度（例えばセンシングの際の閾値）についての設定変更、又は、各機能自体のオンオフの設定変更等について考慮されていない。
【０００５】
そこで、本発明は、機能変更が可能であり、かつ、各機能の設定変更を容易に行うことができる負荷制御スイッチを提供することを目的とする。
【課題を解決するための手段】
【０００６】
本発明の一形態に係る負荷制御スイッチは、負荷へ電力を供給するための外部電源に接続されたスイッチ部と、前記スイッチ部の機能を拡張させるためのものであって、前記スイッチ部に着脱可能に装着される装着部と、前記装着部に設けられ、第１の信号線及び前記第１の信号線とは異なる第２の信号線と接続される制御部と、前記第１の信号線に接続されず、前記第２の信号線に接続され、前記装着部の機能設定を行う設定スイッチと、を備え、前記制御部と前記スイッチ部とは、前記装着部が前記スイッチ部に装着されるときに前記第１の信号線によって導通し、前記制御部は、前記設定スイッチでの前記設定の結果を前記第２の信号線を介して取得する。
【発明の効果】
【０００７】
本発明の一態様に係る負荷制御スイッチによれば、機能変更が可能であり、かつ、各機能の設定変更を容易に行うことができる。
【図面の簡単な説明】
【０００８】
【図１】図１は、実施の形態１に係る負荷制御スイッチの一例を示す構成図である。
【図２】図２は、実施の形態１の変形例に係る負荷制御スイッチの一例を示す構成図である。
【図３】図３は、実施の形態２に係る負荷制御スイッチの一例を示す構成図である。
【発明を実施するための形態】
【０００９】
以下、実施の形態について、図面を参照しながら説明する。ここで示す実施の形態は、いずれも本発明の一具体例を示すものである。従って、以下の実施の形態で示される数値、形状、構成要素、構成要素の配置および接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１０】
（実施の形態１）
以下、実施の形態１について図１及び図２を用いて説明する。
【００１１】
図１は、実施の形態１に係る負荷制御スイッチ１の一例を示す構成図である。なお、図１には、負荷制御スイッチ１の構成要素ではない外部電源６０及び負荷７０も示されている。
【００１２】
負荷制御スイッチ１は、負荷７０へ電力を供給するための外部電源６０に接続されたスイッチ部１０と、スイッチ部１０の機能を拡張させるためのものであって、スイッチ部１０に着脱可能に装着される装着部２０と、を備える。装着部２０は、スイッチ部１０の機能を拡張させるために、例えば、負荷７０を制御するためのセンサ２１を備える。例えば、装着部２０は、１対のコネクタ５０によって着脱可能にスイッチ部１０に装着される。例えば、スイッチ部１０及び装着部２０の対向する面のそれぞれに、オス型コネクタ及びメス型コネクタの一方及び他方が設けられ、当該オス型コネクタと当該メス型コネクタとが挿抜可能となっていることで、装着部２０は、スイッチ部１０に着脱可能に装着される。例えば、スイッチ部１０には、それぞれスイッチ部１０の機能の拡張内容の異なる複数の装着部２０のいずれかが装着される。具体的には、スイッチ部１０には、それぞれセンサ２１の機能の異なる複数の装着部２０のいずれかが装着される。これにより、スイッチ部１０に装着される装着部２０が取り換えられることで、１つの負荷制御スイッチ１によって、機能変更が可能となる。負荷制御スイッチ１は、通常時には、スイッチ部１０に装着部２０が装着されて使用される。
【００１３】
負荷制御スイッチ１は、例えば、スイッチ部１０が、スイッチ部１０における装着部２０が装着される面を除いて施設等の壁に埋め込まれており、いわゆる壁スイッチのように使用される。
【００１４】
外部電源６０は、例えば、商用電源等であり、スイッチ部１０と外部電源６０とは電線で接続される。当該電線は、例えばＶＶＦ（Ｖｉｎｙｌ  ｉｎｓｕｌａｔｅｄ  Ｖｉｎｙｌ  ｓｈｅａｔｈｅｄ  Ｆｌａｔ−ｔｙｐｅ  ｃａｂｌｅ）等であるが、特にこれに限定されない。
【００１５】
負荷７０は、負荷制御スイッチ１によって制御される機器であり、例えば、照明器具又は空調機器等の機器である。負荷７０は、例えば照明器具の場合、負荷制御スイッチ１によってオンオフの制御がされたり、調光率の制御がされたりする。また、負荷７０は、例えば空調機器の場合、負荷制御スイッチ１によってオンオフの制御がされたり、温度の制御がされたりする。
【００１６】
スイッチ部１０は、装着部２０からの制御信号に基づいて、負荷７０への電力の供給のオン及びオフを切り替えたり、負荷７０への電力の供給の仕方を変えたりする。例えば、負荷７０が照明器具の場合には、スイッチ部１０は、照明器具のオン及びオフを切り替えたり、ＰＷＭ（Ｐｕｌｓｅ  Ｗｉｄｔｈ  Ｍｏｄｕｌａｔｉｏｎ）制御等により照明器具の調光率を変更したりする。スイッチ部１０は、電源１１、制御部１２及び設定スイッチ３０を備える。
【００１７】
また、スイッチ部１０は、装着部２０が装着されたときに、直流電力を装着部２０に供給する。電源１１は、電力線として第３の信号線４３と接続され、第３の信号線を介して装着部２０（具体的には後述する制御部２２）に電力を供給する。制御部２２と電源１１とは、装着部２０がスイッチ部１０に装着されるときに第３の信号線４３によって導通する。なお、第３の信号線４３は、後述する第１の信号線４１及び第２の信号線４２とは異なる信号線である。
【００１８】
制御部１２は、装着部２０からの制御信号に基づいて、負荷７０への電力の供給のオン及びオフを切り替えたり、負荷７０への電力の供給の仕方を変えたりする処理部である。例えば、制御部１２は、装着部２０から負荷７０への電力供給をオンする制御信号を取得することで、電源１１と負荷７０とを導通とし、また、装着部２０から負荷７０への電力供給をオフする制御信号を取得することで、電源１１と負荷７０とを非導通とするスイッチとして機能する。制御部１２は、プロセッサ（マイクロプロセッサ）及びメモリを含むコンピュータである。メモリは、ＲＯＭ、ＲＡＭ等であり、プロセッサにより実行される制御プログラム（コンピュータプログラム）を記憶することができる。プロセッサが制御プログラムに従って動作することにより、制御部１２の機能は実現される。制御部１２は、例えば、マイクロコンピュータ（マイコン）である。
【００１９】
設定スイッチ３０は、例えば、スイッチ部１０に設けられるスイッチである。設定スイッチ３０は、例えば、電源１１と後述する制御部２２との導通及び非導通を切り替えるスイッチ３１を備える。なお、図１に示されるように、設定スイッチ３０は、複数のスイッチ３１を備えていてもよい。設定スイッチ３０は、例えば、ディップスイッチであり、スイッチ３１は、プッシュスイッチ又はスライドスイッチ等である。なお、スイッチ３１は、可変抵抗等のロータリスイッチ等であってもよい。設定スイッチ３０は、装着部２０の機能設定を行うスイッチ（具体的には、センサ２１に関する設定を切り替えるスイッチ）であるが、詳細は後述する。
【００２０】
装着部２０は、スイッチ部１０に装着されて使用される。装着部２０は、負荷制御スイッチ１が使用される際に施設の壁等から露出している。装着部２０は、センサ２１及び制御部２２を備える。
【００２１】
センサ２１は、負荷７０を制御するためのセンサである。例えば、センサ２１は、タッチセンサ、人感センサ、明るさセンサ又は音センサ等である。上述したように、負荷制御スイッチ１では、スイッチ部１０に装着される装着部２０を取り換えることができる。例えば、ユーザがタッチセンサにより負荷７０を制御したいときには、センサ２１としてタッチセンサを有する装着部２０がスイッチ部１０に装着される。このように、スイッチ部１０に装着される装着部２０が異なる機能のセンサ２１を有する装着部２０に取り換えられることで、１つの負荷制御スイッチ１によって、機能変更が可能となる。なお、１つの装着部２０が機能の異なる複数のセンサ２１を備えていてもよい。例えば、１つの装着部２０がタッチセンサ及び明るさセンサを備えている場合、１つの装着部２０によってタッチセンサにより負荷７０を制御したり、明るさセンサにより負荷７０を制御したりすることができてもよい。
【００２２】
制御部２２は、第１の信号線４１及び第１の信号線４１とは異なる第２の信号線４２と接続される。また、設定スイッチ３０は、第１の信号線４１に接続されず、第２の信号線４２に接続される。制御部２２とスイッチ部１０（具体的には制御部１２）とは、装着部２０がスイッチ部１０に装着されるときに第１の信号線４１によって導通し、制御部２２と設定スイッチ３０とは、装着部２０がスイッチ部１０に装着されるときに第２の信号線４２によって導通する。図１では、１対のコネクタ５０によって、第１の信号線４１、第２の信号線４２及び第３の信号線４３を介するスイッチ部１０と装着部２０との接続が実現されているが、信号線毎にコネクタが設けられていてもよい。
【００２３】
制御部２２は、プロセッサ（マイクロプロセッサ）及びメモリを含むコンピュータである。メモリは、ＲＯＭ、ＲＡＭ等であり、プロセッサにより実行される制御プログラム（コンピュータプログラム）を記憶することができる。プロセッサが制御プログラムに従って動作することにより、制御部２２の機能は実現される。制御部２２は、例えば、マイコンである。例えば、制御部２２（マイコン）は、複数の入出力端子を有しており、第１の信号線４１は通信端子に接続され、第２の信号線４２は設定端子（例えば、Ｈｉｇｈ信号又はＬｏｗ信号が入力される入力端子）に接続され、第３の信号線は電源端子に接続される。例えば、制御部２２に、複数の第２の信号線４２が接続可能となるように、複数の設定端子を有する。
【００２４】
図１には図示されていないが、第２の信号線４２には、スイッチ３１のオン及びオフ時のそれぞれについて、設定端子が適切な論理レベル（例えばＨｉｇｈレベル又はＬｏｗレベル）となるように、例えばプルダウン抵抗が設けられる。これにより、制御部２２には、スイッチ３１がオンのときにはＨｉｇｈ信号が入力され、スイッチ３１がオフのときにはＬｏｗ信号が入力される。なお、スイッチ３１は、グランドとの接続を切り替えるものであってもよい。この場合、第２の信号線４２には、プルアップ抵抗が設けられてもよく、制御部２２には、スイッチ３１がオンのときにはＬｏｗ信号が入力され、スイッチ３１がオフのときにはＨｉｇｈ信号が入力されてもよい。このようなＨｉｇｈ信号若しくはＬｏｗ信号、又は、スイッチ３１が複数存在するときにはＨｉｇｈ信号及びＬｏｗ信号の組み合わせによってセンサ２１に関する設定が行われる。一例として、スイッチ３１が２つ存在する場合には、Ｈｉｇｈ信号及びＬｏｗ信号の組み合わせによって４種類の設定が可能となる。このように、スイッチ３１の数を増やすことで、設定可能な内容を増やしたり、設定の細かい調整をしたりすることができる。また、スイッチ３１が可変抵抗のロータリスイッチの場合には、可変抵抗の抵抗値によって変化する制御部２２の設定端子に入力される電圧値によって複数種類の設定が可能となる。なお、この場合には、制御部２２は、ＡＤ変換機能等を有することが好ましい。
【００２５】
例えば、当該設定は、センサ２１の感度に関する設定を含む。例えば、制御部２２に入力される設定スイッチ３０からの信号によって、センサ２１の感度を変更することができる。例えば、タッチセンサに対してユーザがタッチしたと判定される際の閾値、人感センサにより人を検知したと判定する際の閾値、明るさセンサにより一定以上の明るさとなっていると判定する際の閾値、又は、音センサにより特定の言語に対して反応するための設定等を、設定スイッチ３０からの信号に応じて変更することができる。
【００２６】
また、例えば、当該設定は、センサ２１の動作のオン及びオフに関する設定を含む。例えば、制御部２２に入力される設定スイッチ３０からの信号によって、センサ２１の動作のオン及びオフを変更することができる。例えば、１つの装着部２０がタッチセンサ及び明るさセンサを有している場合、タッチセンサの機能だけオンにし、明るさセンサの機能をオフにすることができる。
【００２７】
このように、負荷制御スイッチ１の機能（具体的にはセンサ２１の機能）の設定変更を行うことができる。
【００２８】
制御部２２は、設定スイッチ３０での設定の結果を、制御部１２と制御部２２との間の通信（ＣＰＵ間の通信）に用いられる第１の信号線４１ではなく、第２の信号線４２を介して取得する。例えば、制御部２２は、設定スイッチ３０での設定の結果を二値信号によって第２の信号線を介して取得する。具体的には、設定スイッチ３０と制御部２２との第２の信号線４２における通信には、Ｈｉｇｈ信号及びＬｏｗ信号のような単純な信号が用いられる。
【００２９】
また、制御部２２は、センサ２１の出力を取得する。そして、制御部２２は、設定スイッチ３０での設定の結果及びセンサ２１の出力に応じた負荷７０に対する制御信号を第１の信号線４１を介してスイッチ部１０（具体的には制御部１２）に送信する。例えば、設定の結果によっては、センサ２１が同じ出力値を出力している場合であっても、負荷７０に対する制御信号は変わってくる。具体的には、明るさセンサについて説明すると、特定の明るさ以上のときに負荷７０（照明器具）をオフし、特定の明るさ未満のときに負荷７０をオンさせる際に、設定スイッチ３０での設定によって負荷７０をオンさせる明るさ（感度）を変更することができる。このように、負荷７０に対する制御信号は、センサ２１の出力だけでなく、設定スイッチ３０での設定の結果にも応じたものとなる。
【００３０】
なお、設定スイッチ３０は、スイッチ部１０に設けられたが、装着部２０に設けられてもよい。これについて、実施の形態１の変形例として図２を用いて説明する。
【００３１】
図２は、実施の形態１の変形例に係る負荷制御スイッチ１ａの一例を示す構成図である。なお、図２には、負荷制御スイッチ１ａの構成要素ではない外部電源６０及び負荷７０も示されている。
【００３２】
図２に示されるように、本変形例では、スイッチ部１０ａに設定スイッチ３０が設けられず、装着部２０ａに設定スイッチ３０ａが設けられる。その他の点は、実施の形態１における負荷制御スイッチ１におけるものと同じであるため、説明は省略する。
【００３３】
このように、装着部２０ａに設定スイッチ３０ａが設けられることで、スイッチ部１０ａから装着部２０ａにわたって第２の信号線４２を設ける必要がなくなり、制御部２２と設定スイッチ３０ａとの接続が容易になる。
【００３４】
以上説明したように、負荷制御スイッチ１は、負荷７０へ電力を供給するための外部電源６０に接続されたスイッチ部１０と、スイッチ部１０の機能を拡張させるためのものであって、スイッチ部１０に着脱可能に装着される装着部２０と、を備える。負荷制御スイッチ１は、装着部２０に設けられ、第１の信号線４１及び第１の信号線４１とは異なる第２の信号線４２と接続される制御部２２と、第１の信号線４１に接続されず、第２の信号線４２に接続され、装着部２０の機能設定を行う設定スイッチ３０と、を備える。制御部２２とスイッチ部１０とは、装着部２０がスイッチ部１０に装着されるときに第１の信号線４１によって導通する。制御部２２は、設定スイッチ３０での設定の結果を第２の信号線４２を介して取得する。
【００３５】
これによれば、負荷制御スイッチ１は、スイッチ部１０の機能の拡張内容が互いに異なる複数の装着部２０のうちの所望の装着部２０がスイッチ部１０に装着されることで、所望の機能へと機能変更が可能となる。また、例えば負荷７０に対する制御信号が流れる第１の信号線４１とは別途用意された第２の信号線４２を流れる設定スイッチ３０からの信号によって各機能の設定変更を行うことができる。つまり、設定スイッチ３０でのスイッチ３１のオンオフ等の簡単な操作で、スイッチ部１０の各機能の設定変更を容易に行うことができる。このように、負荷制御スイッチ１は、機能変更が可能であり、かつ、各機能の設定変更を容易に行うことができる。
【００３６】
また、設定スイッチ３０は、スイッチ部１０に設けられ、制御部２２と設定スイッチ３０とは、装着部２０がスイッチ部１０に装着されるときに第２の信号線４２によって導通してもよい。
【００３７】
負荷制御スイッチ１のうちの装着部２０の部分は、壁等から露出する部分であり、デザイン性等の観点からなるべく薄型化することが好ましい。一方で、負荷制御スイッチ１のうちのスイッチ部１０の部分は、壁に埋め込まれるため、デザイン性等の観点からは薄型化する必要性は低い。このため、設定スイッチ３０が装着部２０ではなくスイッチ部１０に設けられることで、装着部２０を薄型化することができ、デザイン性を高めることができる。
【００３８】
また、制御部２２は、設定の結果を二値信号によって第２の信号線４２を介して取得してもよい。
【００３９】
これによれば、第２の信号線４２を流れる設定スイッチ３０からのＨｉｇｈ信号又はＬｏｗ信号のような単純な二値信号によって各機能の設定変更が可能となり、つまり、装着部２０はこのような単純な二値信号に対応するだけで各機能の設定変更が可能となり、負荷制御スイッチ１に汎用性を持たせることができる。また、各機能の設定変更にこのような単純な信号が用いられることで低消費電力化を実現できる。
【００４０】
また、装着部２０は、センサ２１を備え、設定スイッチ３０での設定は、センサ２１の感度に関する設定を含んでいてもよい。また、設定スイッチ３０での設定は、センサ２１の動作のオン及びオフに関する設定を含んでいてもよい。
【００４１】
これによれば、センサ２１の感度に関する設定変更、又は、センサ２１の動作のオン及びオフに関する設定変更を容易に行うことができる。
【００４２】
（実施の形態２）
実施の形態１では、設定スイッチ３０は、装着部２０の機能設定を行うためだけに用いられるが、その他の用途にも用いられてもよい。これについて、図３を用いて説明する。
【００４３】
図３は、実施の形態２に係る負荷制御スイッチ１ｂの一例を示す構成図である。なお、図３には、負荷制御スイッチ１ｂの構成要素ではない外部電源６０及び負荷７０も示されている。
【００４４】
図３に示されるように、実施の形態２では、負荷制御スイッチ１ｂは、スイッチ部１０ｂを備え、スイッチ部１０ｂは、設定スイッチ３０ｂを備える。その他の点は、実施の形態１における負荷制御スイッチ１におけるものと同じであるため、説明は省略する。
【００４５】
実施の形態２では、設定スイッチ３０ｂが、装着部２０の機能設定を行うため（具体的にはセンサ２１に関する設定を切り替えるため）だけでなく、制御部２２の機能を変更するためにも用いられる。そのために、設定スイッチ３０ｂが有する複数のスイッチ３１のうちの少なくとも１つが、制御部２２の機能を変更するために用いられる。例えば、設定スイッチ３０ｂが有する複数のスイッチ３１のうちの１つのスイッチ３１（図３では、下側のスイッチ３１）が制御部２２の機能を変更するために用いられ、当該スイッチ３１は、ここでは常にオンとされる。これにより、装着部２０がスイッチ部１０ｂに装着されている場合、制御部２２は、当該スイッチ３１を介してＨｉｇｈ信号を取得することになる。
【００４６】
制御部２２は、所定の信号を取得した場合、制御部２２の機能を変更するためのモードに切り替わり、所定の信号を取得しない場合、制御部２２の機能を変更するためのモードに切り替わらない。制御部２２の機能を変更するためのモードは、例えば、制御部２２（マイコン等）のソフトウェアの書き換えを行うためのモードである。例えば、センサ２１が音センサの場合に、制御部２２のソフトウェアの書き換えによって、対応可能な言語を変更することができる。
【００４７】
また、所定の信号は、二値信号のうちの一方を示す信号であり、制御部２２は、装着部２０がスイッチ部１０ｂに装着されていない場合に、所定の信号を取得し、装着部２０がスイッチ部１０ｂに装着されている場合、第２の信号線４２を介して二値信号のうちの他方を示す信号を取得する。当該二値信号は、Ｈｉｇｈ信号又はＬｏｗ信号であり、図３に示される例では、装着部２０がスイッチ部１０ｂに装着されている場合、制御部２２は、二値信号のうちの他方を示す信号としてＨｉｇｈ信号を第２の信号線４２（具体的には上記１つのスイッチ３１）を介して取得する。図には示されていないが、装着部２０がスイッチ部１０ｂに装着されていない場合、制御部２２は、二値信号のうちの一方を示す所定の信号としてＬｏｗ信号を取得する。実施の形態１で説明したように、第２の信号線４２には、プルダウン抵抗が設けられており、制御部２２は、当該プルダウン抵抗を介して所定の信号を取得する。
【００４８】
例えば、装着部２０がスイッチ部１０ｂに装着されていないときに、装着部２０に、制御部２２のソフトウェアの書き換えを書き換えるための装置（治具等）を接続することで、制御部２２のソフトウェアの書き換えを行うことができる。装着部２０がスイッチ部１０ｂに装着されていないときには、制御部２２は、所定の信号として二値信号のうちの一方を示す信号（例えばＬｏｗ信号）を取得する。このため、制御部２２は、制御部２２の機能を変更するためのモードに切り替わって、制御部２２のソフトウェアの書き換えを書き換えるための指示を受け付ける状態となり、制御部２２のソフトウェアの書き換えを行うことができる。一方で、装着部２０がスイッチ部１０ｂに装着されているときには、制御部２２は、二値信号のうちの他方を示す信号（例えばＨｉｇｈ信号）を第２の信号線４２を介して取得する。このため、制御部２２は、制御部２２の機能を変更するためのモードに切り替わらず、制御部２２のソフトウェアの書き換えを書き換えるための指示を受け付けない状態となり、制御部２２のソフトウェアの書き換えを行うことができない。
【００４９】
なお、所定の信号は、Ｌｏｗ信号であったが、Ｈｉｇｈ信号であってもよい。この場合、装着部２０がスイッチ部１０ｂに装着されているときには、制御部２２は、設定スイッチ３０ｂが有する複数のスイッチ３１のうちの１つのスイッチ３１（図３では、下側のスイッチ３１）を介してＬｏｗ信号を取得するように、負荷制御スイッチ１ｂは設計される。例えば、スイッチ３１が制御部２２とグランドとの接続を切り替えるスイッチとなるように設計され、第２の信号線にプルアップ抵抗が設けられるように設計される。
【００５０】
以上説明したように、制御部２２は、所定の信号を取得した場合、制御部２２の機能を変更するためのモードに切り替わり、所定の信号を取得しない場合、制御部２２の機能を変更するためのモードに切り替わらなくてもよい。
【００５１】
例えば、制御部２２は、第２の信号線４２を介して取得する設定の結果に応じて、装着部２０の機能設定を行う。つまり、制御部２２は、予め定められた制御部２２の機能（例えばソフトウェア）に応じて、制御部２２に入力される設定の結果の意味を判断し、設定の結果に応じて負荷７０の制御を行う。これに対して、さらに、本態様によれば、制御部２２の機能（例えばソフトウェア）自体を変更することができるため、設定の結果の意味の変更等を行うことができ、機能の更新又は追加等を行うことができる。
【００５２】
また、所定の信号は、二値信号のうちの一方を示す信号であり、制御部２２は、装着部２０がスイッチ部１０ｂに装着されていない場合に、所定の信号を取得し、装着部２０がスイッチ部１０ｂに装着されている場合、第２の信号線４２を介して二値信号のうちの他方を示す信号を取得してもよい。
【００５３】
これによれば、装着部２０がスイッチ部１０ｂに装着されている場合には、制御部２２は第２の信号線４２を介して所定の信号である二値信号のうちの一方を示す信号とは異なる他方を示す信号を必ず取得し、制御部２２の機能の変更が不可となるため、誤って制御部２２の機能が変更されてしまうことを抑制できる。また、装着部２０がスイッチ部１０ｂに装着されていない場合には、制御部２２は、所定の信号である二値信号のうちの一方を必ず取得し、自動的に制御部２２の機能を変更するためのモードに切り替わるため、制御部２２の機能を変更する際にユーザの手間を省くことができる。
【００５４】
（その他の実施の形態）
以上、実施の形態に係る負荷制御スイッチについて説明したが、本発明は、上記実施の形態に限定されるものではない。
【００５５】
例えば、上記実施の形態では、装着部はセンサ２１を備えていたが、備えていなくてもよい。
【００５６】
また、例えば、制御部２２は、設定スイッチ３０での設定の結果及びセンサ２１の出力に応じた負荷７０に対する制御信号を第１の信号線４１を介してスイッチ部１０（具体的には制御部１２）に送信したが、これに限らない。例えば、制御部２２は、負荷７０に対する制御信号を第１の信号線４１とは異なる信号線を介してスイッチ部１０に送信してもよい。
【００５７】
例えば、制御部２２は、第２の信号線４２を介してスイッチ部が対応可能な装着部の機種を示す信号を取得してもよい。例えば、あるスイッチ部は、コネクタ５０によって、機能の異なる様々な種類の装着部が装着可能となっている場合がある。この場合に、例えば、当該スイッチ部がタッチセンサ機能には対応でき、音センサ機能には対応できないとする。このとき、当該スイッチ部に音センサ機能を有する装着部が装着されたとしても、制御部２２は、当該スイッチ部の対応可能な装着部の機種を示す信号を取得し、自身が当該スイッチ部に対応可能でないことを認識することができる。例えば、装着部は、表示部（ディスプレイ又はＬＥＤ等）を有していてもよく、表示部にその旨を示すエラー表示等をさせてもよい。
【００５８】
また、例えば、コネクタ５０の構造が、特定の装着部が特定のスイッチ部にしか装着できないような構造となっていてもよい。
【００５９】
また、例えば、実施の形態２において、制御部２２に誤ったソフトウェアが書き込まれた場合に、スイッチ部の制御部１２は第１の信号線４１における通信によってそのことを検知し、制御部２２にその旨を通知してもよい。また、装着部は、表示部にその旨を示すエラー表示等をさせてもよい。
【００６０】
また、本発明は、負荷制御スイッチとして実現できるだけでなく、負荷制御スイッチを構成する各構成要素が行うステップ（処理）を含む通知方法として実現できる。
【００６１】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００６２】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。
【００６３】
また、上記実施の形態の負荷制御スイッチに含まれる各構成要素は、専用又は汎用の回路として実現されてもよい。
【００６４】
また、上記実施の形態の負荷制御スイッチに含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００６５】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続及び設定が再構成可能なリコンフィギュラブル・プロセッサが、利用されてもよい。
【００６６】
さらに、半導体技術の進歩又は派生する別技術によりＬＳＩに置き換わる集積回路化の技術が登場すれば、当然、その技術を用いて、負荷制御スイッチに含まれる各構成要素の集積回路化が行われてもよい。
【００６７】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００６８】
１、１ａ、１ｂ  負荷制御スイッチ
１０、１０ａ、１０ｂ  スイッチ部
１２、２２  制御部
２０、２０ａ  装着部
２１  センサ
３０、３０ａ、３０ｂ  設定スイッチ
４１  第１の信号線
４２  第２の信号線
６０  外部電源
７０  負荷
【図１】
2020112955.tif 000003
【図２】
2020112955.tif 000004
【図３】
2020112955.tif 000005